(57)【特許請求の範囲】
【請求項１】
音響信号を入力する複数の入力ポートと、入力した音響信号に信号処理を施す複数の入力チャンネルとを備えたミキシングシステムであって、
前記複数の入力ポートのうちから選択した１つの入力ポートに、前記複数の入力チャンネルのうちから選択した１つ以上の入力チャンネルを割り当て、前記入力ポートで入力した音響信号を前記割り当てた１つ以上の入力チャンネルに入力するように結線を設定するパッチ手段と、
前記入力チャンネル毎に、ユーザが任意に指定できる入力チャンネルネームを格納する記憶手段と、
前記入力チャンネル毎に、ビューネームを格納する記憶手段と、
前記入力ポート毎に、ユーザが任意に指定できるユーザポートネームを格納する記憶手段と、
前記入力ポート毎に、自動的に生成され、各入力ポートを一意に識別できるシステムポートネームを格納する記憶手段と、
ユーザにより指定された処理対象の入力ポートの設定を行う入力ポート設定画面において、ユーザによる所定の操作により、処理対象の入力ポートに割り当てられている全ての入力チャンネルのビューネームに、（１）該処理対象の入力ポートのシステムポートネームを参照することを指示するシステムポートネーム参照フラグ、（２）該処理対象の入力ポートのユーザポートネームを参照することを指示するユーザポートネーム参照フラグ、または、（３）自入力チャンネルの入力チャンネルネームを参照することを指示する入力チャンネルネーム参照フラグを、設定する手段と、
任意の入力チャンネルに関してビューネームを表示する際、（１）ビューネームにシステムポートネーム参照フラグが設定されていたら、当該入力チャンネルに割り当てられている入力ポートのシステムポートネームを読み出して表示し、（２）ビューネームにユーザポートネーム参照フラグが設定されていたら、当該入力チャンネルに割り当てられている入力ポートのユーザポートネームを読み出して表示し、（３）ビューネームに入力チャンネルネーム参照フラグが設定されていたら、当該入力チャンネルの入力チャンネルネームを表示する、ビューネーム表示手段と
を備えることを特徴とするミキシングシステム。
【請求項２】
請求項１に記載のミキシングシステムにおいて、
ユーザにより指定された処理対象の入力ポートの設定を行う前記入力ポート設定画面において、ユーザによる所定の操作により、処理対象の入力ポートに割り当てられている全ての入力チャンネルの入力チャンネルネームに、（１）該処理対象の入力ポートのシステムポートネーム、または、（２）該処理対象の入力ポートのユーザポートネームを、設定する手段と、
任意の入力チャンネルに関して入力チャンネルネームを表示する際、前記設定する手段により設定されている入力チャンネルネームを表示する入力チャンネルネーム表示手段と
を、さらに備えることを特徴とするミキシングシステム。
【請求項３】
請求項２に記載のミキシングシステムにおいて、
ユーザによる連番付けの指示および連番のタイプの指定を受け付ける手段を、さらに備え、
前記連番付けの指示が為されていた場合、前記入力チャンネルネームに設定する手段は、前記システムポートネームまたは前記ユーザポートネームに前記指定された連番のタイプに応じた連番を付けて、入力チャンネルネームに設定する
ことを特徴とするミキシングシステム。
【請求項４】
請求項１から３の何れか１つに記載のミキシングシステムにおいて、
ユーザにより指定された処理対象の入力チャンネルの設定を行う入力チャンネル設定画面において、ユーザによる所定の操作により、処理対象の入力チャンネルのビューネームに、（１）該処理対象の入力チャンネルに割り当てられている入力ポートのシステムポートネームを参照することを指示するシステムポートネーム参照フラグ、（２）該処理対象の入力チャンネルに割り当てられている入力ポートのユーザポートネームを参照することを指示するユーザポートネーム参照フラグ、または、（３）自入力チャンネルの入力チャンネルネームを参照することを指示する入力チャンネルネーム参照フラグを、設定する手段を、
さらに備えることを特徴とするミキシングシステム。
【請求項５】
請求項４に記載のミキシングシステムにおいて、
前記入力チャンネル設定画面において、ユーザによる所定の操作により、処理対象の入力チャンネルの入力チャンネルネームに、（１）該処理対象の入力チャンネルに割り当てられている入力ポートのシステムポートネーム、または、（２）該処理対象の入力チャンネルに割り当てられている入力ポートのユーザポートネームを、設定する手段を、
さらに備えることを特徴とするミキシングシステム。
【請求項６】
音響信号に信号処理を施す複数の出力チャンネルと、それらの出力チャンネルから出力される音響信号を外部機器に出力する複数の出力ポートとを備えたミキシングシステムであって、
前記複数の出力チャンネルのうちから選択した１つの出力チャンネルに、前記複数の出力ポートのうちから選択した１つ以上の出力ポートを割り当て、前記出力チャンネルから出力した音響信号を前記割り当てた１つ以上の出力ポートから出力するように結線を設定するパッチ手段と、
前記出力チャンネル毎に、ユーザが任意に指定できる出力チャンネルネームを格納する記憶手段と、
前記出力ポート毎に、ビューネームを格納する記憶手段と、
ユーザにより指定された処理対象の出力チャンネルの設定を行う出力チャンネル設定画面において、ユーザによる所定の操作により、処理対象の出力チャンネルに割り当てられている全ての出力ポートのビューネームに、該処理対象の出力チャンネルの出力チャンネルネームを参照することを指示する出力チャンネルネーム参照フラグを、設定する手段と、
任意の出力ポートに関してビューネームを表示する際、ビューネームに出力チャンネルネーム参照フラグが設定されていたら、当該出力ポートに割り当てられている出力チャンネルの出力チャンネルネームを読み出して表示する、ビューネーム表示手段と
を備えることを特徴とするミキシングシステム。
【請求項７】
請求項６に記載のミキシングシステムにおいて、
ユーザによる連番付けの指示および連番のタイプの指定を受け付ける手段を、さらに備え、
前記連番付けの指示が為されていた場合、前記ビューネームに設定する手段は、前記ビューネームに、前記出力チャンネルネーム参照フラグとともに、前記指定された連番のタイプに応じた連番を付けることを示す情報を設定し、
前記連番を付けることを示す情報がビューネームに設定されていた場合、前記ビューネーム表示手段は、当該ビューネームに対応する出力ポートに割り当てられている出力チャンネルの出力チャンネルネームに、前記指定されたタイプの連番を付けて、表示する
ことを特徴とするミキシングシステム。
【請求項８】
請求項６に記載のミキシングシステムにおいて、
前記出力ポート毎に、ユーザが任意に指定できるユーザポートネームを格納する記憶手段と、
ユーザにより指定された処理対象の出力チャンネルの設定を行う前記出力チャンネル設定画面において、ユーザによる所定の操作により、処理対象の出力チャンネルに割り当てられている全ての出力ポートのユーザポートネームに、該処理対象の出力チャンネルの出力チャンネルネームを、設定する手段と、
任意の出力ポートに関してユーザポートネームを表示する際、前記設定する手段により設定されている出力チャンネルネームを表示する出力チャンネルネーム表示手段と
を、さらに備えることを特徴とするミキシングシステム。
【請求項９】
請求項８に記載のミキシングシステムにおいて、
ユーザによる連番付けの指示および連番のタイプの指定を受け付ける手段を、さらに備え、
前記連番付けの指示が為されていた場合、前記ユーザポートネームに設定する手段は、前記ユーザポートネームに、前記指定された連番のタイプに応じた連番を付けて、設定する
ことを特徴とするミキシングシステム。
【請求項１０】
請求項６から９の何れか１つに記載のミキシングシステムにおいて、
前記出力ポート毎に、自動的に生成され、各出力ポートを一意に識別できるシステムポートネームを格納する記憶手段と、
ユーザにより指定された処理対象の出力チャンネルの設定を行う前記出力チャンネル設定画面において、ユーザによる所定の操作により、処理対象の出力チャンネルの出力チャンネルネームに、該処理対象の出力チャンネルに割り当てられている出力ポートのシステムポートネームを、設定する手段と、
任意の出力チャンネルに関して出力チャンネルネームを表示する際、前記設定する手段により設定されている出力チャンネルネームを表示する出力チャンネルネーム表示手段と
を、さらに備えることを特徴とするミキシングシステム。
【請求項１１】
請求項６から１０の何れか１つに記載のミキシングシステムにおいて、
ユーザにより指定された処理対象の出力ポートの設定を行う出力ポート設定画面において、ユーザによる所定の操作により、処理対象の出力ポートのビューネームに、該処理対象の出力ポートに割り当てられている出力チャンネルの出力チャンネルネームを参照することを指示する出力チャンネルネーム参照フラグを、設定する手段を、
さらに備えることを特徴とするミキシングシステム。
【請求項１２】
請求項１１に記載のミキシングシステムにおいて、
ユーザにより指定された処理対象の出力ポートの設定を行う前記出力ポート設定画面において、ユーザによる所定の操作により、処理対象の出力ポートのユーザポートネームに、該処理対象の出力ポートに割り当てられている出力チャンネルの出力チャンネルネームを設定する手段を、
さらに備えることを特徴とするミキシングシステム。
【請求項１３】
請求項１１または１２に記載のミキシングシステムにおいて、
ユーザにより指定された処理対象の出力ポートの設定を行う前記出力ポート設定画面において、ユーザによる所定の操作により、処理対象の出力ポートに割り当てられている出力チャンネルの出力チャンネルネームに、該処理対象の出力ポートのシステムポートネームを設定する手段を、
さらに備えることを特徴とするミキシングシステム。
【発明の詳細な説明】
【技術分野】
【０００１】
この発明は、ミキシングシステムにおいて、特に、物理的な入出力ポートや信号処理を行うチャンネル（ｃｈ）に名前をつける際に、それらの入出力ポートとｃｈとのパッチングの状態に基づいてユーザに分かり易い名前を簡単な操作で付けることができる技術に関する。
【背景技術】
【０００２】
従来より、マイクなどの各種の音響信号発生源からの音響信号を入力ポート経由で入力し、入力した音響信号を複数のｃｈで信号処理（レベル制御処理、周波数特性制御処理、混合処理、効果付与処理など）し、処理後の信号を出力ポート経由で出力するミキシングシステムが知られている。近年では、上記信号処理を行うｃｈの数が増加し、１０００ｃｈを超える数のｃｈ数を扱う機器も存在する。また、信号の入出力のための物理的な入力ポートと出力ポートも数多く設けられる。これらのポートとｃｈとの割り当ては、いわゆるパッチング機能により行われる。すなわち、入力側のパッチでは、ユーザが所定の操作を行って入力側のパッチを行う画面を表示させ、該画面上で、各入力ポートを入力ｃｈに割り当てる（パッチする）。これにより、パッチ元の入力ポートで入力された信号がパッチ先の入力ｃｈに入力されるように結線が設定される。出力側も同様であり、ユーザが所定の操作を行って出力側のパッチを行う画面を表示させ、該画面上で、内部ｃｈを出力ポートに割り当てる（パッチする）。これにより、パッチ元の内部ｃｈの信号がパッチ先の出力ポートに出力されるように結線が設定される。
【０００３】
ところで、ポートの数およびｃｈの数が非常に多数であるため、ポートとｃｈのパッチングの管理が非常に複雑になっている。機械的に付けられた番号のみでパッチングを管理することは、１０００ｃｈを超えるようなｃｈ数では、事実上ほとんど不可能と言える。そこで、ユーザがポートやｃｈに任意に名前を付けられるようにし、ユーザに分かり易い形でパッチを管理できるようにしたミキシングシステムがある（例えば、非特許文献１の第３章「オーディオ接続とパッチング」のパッチングに関する説明、および、非特許文献２の「ユニットネーム」の説明参照）。
【０００４】
さらに、指定した入力ｃｈのｃｈネームの設定欄に所定のフラグを設定することで、入力ｃｈネームとして常に当該入力ｃｈのパッチ元の入力ポートに設定されたポートネームを継承して使用することを指定できるものがあった（非特許文献３の「インプットチャンネルのオートネーミング機能」の説明参照）。
【先行技術文献】
【非特許文献】
【０００５】
【非特許文献１】DIGITAL AUDIO MIXING SYSTEM PM1D、CONSOLE SURFACE CS1D、操作マニュアル（基本操作編）、２００２年、ヤマハ株式会社
【非特許文献２】PM1DシステムソフトウェアV1.5 追補マニュアル、２００２年、ヤマハ株式会社
【非特許文献３】PM1DシステムソフトウェアV1.6 追補マニュアル、２００３年、ヤマハ株式会社
【発明の概要】
【発明が解決しようとする課題】
【０００６】
上記従来技術では、多数あるｃｈやポートに任意に名前を付けて管理することができた。しかし、任意に名前を付けることで、論理的に結線関係を管理することはできるが、場合によってはユーザが付けた名前で論理的に把握するよりも、実際の物理的な結線関係が把握できるような名前で管理したい場合もある。従来技術では、そのようなユーザの多様な要求に応えることができなかった。
【０００７】
また、従来技術では、入力側において入力ポートネームを入力ｃｈネームに継承することができたが、出力側についてはそのような名称の承継はできないという不都合があった。
【０００８】
本発明は、入出力ポートとｃｈとのパッチングにおいて、論理的な結線関係と物理的な結線関係の両方を人間に分かり易い形で管理できるような入出力ポートとｃｈへの名称設定の手法を提案することを目的とする。
【課題を解決するための手段】
【０００９】
上記目的を達成するため、請求項１に係る発明は、音響信号を入力する複数の入力ポートと、入力した音響信号に信号処理を施す複数の入力チャンネルとを備えたミキシングシステムであって、前記複数の入力ポートのうちから選択した１つの入力ポートに、前記複数の入力チャンネルのうちから選択した１つ以上の入力チャンネルを割り当て、前記入力ポートで入力した音響信号を前記割り当てた１つ以上の入力チャンネルに入力するように結線を設定するパッチ手段と、前記入力チャンネル毎に、ユーザが任意に指定できる入力チャンネルネームを格納する記憶手段と、前記入力チャンネル毎に、ビューネームを格納する記憶手段と、前記入力ポート毎に、ユーザが任意に指定できるユーザポートネームを格納する記憶手段と、前記入力ポート毎に、自動的に生成され、各入力ポートを一意に識別できるシステムポートネームを格納する記憶手段と、ユーザにより指定された処理対象の入力ポートの設定を行う入力ポート設定画面において、ユーザによる所定の操作により、処理対象の入力ポートに割り当てられている全ての入力チャンネルのビューネームに、（１）該処理対象の入力ポートのシステムポートネームを参照することを指示するシステムポートネーム参照フラグ、（２）該処理対象の入力ポートのユーザポートネームを参照することを指示するユーザポートネーム参照フラグ、または、（３）自入力チャンネルの入力チャンネルネームを参照することを指示する入力チャンネルネーム参照フラグを、設定する手段と、任意の入力チャンネルに関してビューネームを表示する際、（１）ビューネームにシステムポートネーム参照フラグが設定されていたら、当該入力チャンネルに割り当てられている入力ポートのシステムポートネームを読み出して表示し、（２）ビューネームにユーザポートネーム参照フラグが設定されていたら、当該入力チャンネルに割り当てられている入力ポートのユーザポートネームを読み出して表示し、（３）ビューネームに入力チャンネルネーム参照フラグが設定されていたら、当該入力チャンネルの入力チャンネルネームを表示する、ビューネーム表示手段とを備えることを特徴とする。
【００１０】
請求項２に係る発明は、請求項１に記載のミキシングシステムにおいて、ユーザにより指定された処理対象の入力ポートの設定を行う前記入力ポート設定画面において、ユーザによる所定の操作により、処理対象の入力ポートに割り当てられている全ての入力チャンネルの入力チャンネルネームに、（１）該処理対象の入力ポートのシステムポートネーム、または、（２）該処理対象の入力ポートのユーザポートネームを、設定する手段と、任意の入力チャンネルに関して入力チャンネルネームを表示する際、前記設定する手段により設定されている入力チャンネルネームを表示する入力チャンネルネーム表示手段とを、さらに備えることを特徴とする。
【００１１】
請求項３に係る発明は、請求項２に記載のミキシングシステムにおいて、ユーザによる連番付けの指示および連番のタイプの指定を受け付ける手段を、さらに備え、前記連番付けの指示が為されていた場合、前記入力チャンネルネームに設定する手段は、前記システムポートネームまたは前記ユーザポートネームに前記指定された連番のタイプに応じた連番を付けて、入力チャンネルネームに設定することを特徴とする。
【００１２】
請求項４に係る発明は、請求項１から３の何れか１つに記載のミキシングシステムにおいて、ユーザにより指定された処理対象の入力チャンネルの設定を行う入力チャンネル設定画面において、ユーザによる所定の操作により、処理対象の入力チャンネルのビューネームに、（１）該処理対象の入力チャンネルに割り当てられている入力ポートのシステムポートネームを参照することを指示するシステムポートネーム参照フラグ、（２）該処理対象の入力チャンネルに割り当てられている入力ポートのユーザポートネームを参照することを指示するユーザポートネーム参照フラグ、または、（３）自入力チャンネルの入力チャンネルネームを参照することを指示する入力チャンネルネーム参照フラグを、設定する手段を、さらに備えることを特徴とする。
【００１３】
請求項５に係る発明は、請求項４に記載のミキシングシステムにおいて、前記入力チャンネル設定画面において、ユーザによる所定の操作により、処理対象の入力チャンネルの入力チャンネルネームに、（１）該処理対象の入力チャンネルに割り当てられている入力ポートのシステムポートネーム、または、（２）該処理対象の入力チャンネルに割り当てられている入力ポートのユーザポートネームを、設定する手段を、さらに備えることを特徴とする。
【００１４】
請求項６に係る発明は、音響信号に信号処理を施す複数の出力チャンネルと、それらの出力チャンネルから出力される音響信号を外部機器に出力する複数の出力ポートとを備えたミキシングシステムであって、前記複数の出力チャンネルのうちから選択した１つの出力チャンネルに、前記複数の出力ポートのうちから選択した１つ以上の出力ポートを割り当て、前記出力チャンネルから出力した音響信号を前記割り当てた１つ以上の出力ポートから出力するように結線を設定するパッチ手段と、前記出力チャンネル毎に、ユーザが任意に指定できる出力チャンネルネームを格納する記憶手段と、前記出力ポート毎に、ビューネームを格納する記憶手段と、ユーザにより指定された処理対象の出力チャンネルの設定を行う出力チャンネル設定画面において、ユーザによる所定の操作により、処理対象の出力チャンネルに割り当てられている全ての出力ポートのビューネームに、該処理対象の出力チャンネルの出力チャンネルネームを参照することを指示する出力チャンネルネーム参照フラグを、設定する手段と、任意の出力ポートに関してビューネームを表示する際、ビューネームに出力チャンネルネーム参照フラグが設定されていたら、当該出力ポートに割り当てられている出力チャンネルの出力チャンネルネームを読み出して表示する、ビューネーム表示手段とを備えることを特徴とする。
【００１５】
請求項７に係る発明は、請求項６に記載のミキシングシステムにおいて、ユーザによる連番付けの指示および連番のタイプの指定を受け付ける手段を、さらに備え、前記連番付けの指示が為されていた場合、前記ビューネームに設定する手段は、前記ビューネームに、前記出力チャンネルネーム参照フラグとともに、前記指定された連番のタイプに応じた連番を付けることを示す情報を設定し、前記連番を付けることを示す情報がビューネームに設定されていた場合、前記ビューネーム表示手段は、当該ビューネームに対応する出力ポートに割り当てられている出力チャンネルの出力チャンネルネームに、前記指定されたタイプの連番を付けて、表示することを特徴とする。
【００１６】
請求項８に係る発明は、請求項６に記載のミキシングシステムにおいて、前記出力ポート毎に、ユーザが任意に指定できるユーザポートネームを格納する記憶手段と、ユーザにより指定された処理対象の出力チャンネルの設定を行う前記出力チャンネル設定画面において、ユーザによる所定の操作により、処理対象の出力チャンネルに割り当てられている全ての出力ポートのユーザポートネームに、該処理対象の出力チャンネルの出力チャンネルネームを、設定する手段と、任意の出力ポートに関してユーザポートネームを表示する際、前記設定する手段により設定されている出力チャンネルネームを表示する出力チャンネルネーム表示手段とを、さらに備えることを特徴とする。
【００１７】
請求項９に係る発明は、請求項８に記載のミキシングシステムにおいて、ユーザによる連番付けの指示および連番のタイプの指定を受け付ける手段を、さらに備え、前記連番付けの指示が為されていた場合、前記ユーザポートネームに設定する手段は、前記ユーザポートネームに、前記指定された連番のタイプに応じた連番を付けて、設定することを特徴とする。
【００１８】
請求項１０に係る発明は、請求項６から９の何れか１つに記載のミキシングシステムにおいて、前記出力ポート毎に、自動的に生成され、各出力ポートを一意に識別できるシステムポートネームを格納する記憶手段と、ユーザにより指定された処理対象の出力チャンネルの設定を行う前記出力チャンネル設定画面において、ユーザによる所定の操作により、処理対象の出力チャンネルの出力チャンネルネームに、該処理対象の出力チャンネルに割り当てられている出力ポートのシステムポートネームを、設定する手段と、任意の出力チャンネルに関して出力チャンネルネームを表示する際、前記設定する手段により設定されている出力チャンネルネームを表示する出力チャンネルネーム表示手段とを、さらに備えることを特徴とする。
【００１９】
請求項１１に係る発明は、請求項６から１０の何れか１つに記載のミキシングシステムにおいて、ユーザにより指定された処理対象の出力ポートの設定を行う出力ポート設定画面において、ユーザによる所定の操作により、処理対象の出力ポートのビューネームに、該処理対象の出力ポートに割り当てられている出力チャンネルの出力チャンネルネームを参照することを指示する出力チャンネルネーム参照フラグを、設定する手段を、さらに備えることを特徴とする。
【００２０】
請求項１２に係る発明は、請求項１１に記載のミキシングシステムにおいて、ユーザにより指定された処理対象の出力ポートの設定を行う前記出力ポート設定画面において、ユーザによる所定の操作により、処理対象の出力ポートのユーザポートネームに、該処理対象の出力ポートに割り当てられている出力チャンネルの出力チャンネルネームを設定する手段を、さらに備えることを特徴とする。
【００２１】
請求項１３に係る発明は、請求項１１または１２に記載のミキシングシステムにおいて、ユーザにより指定された処理対象の出力ポートの設定を行う前記出力ポート設定画面において、ユーザによる所定の操作により、処理対象の出力ポートに割り当てられている出力チャンネルの出力チャンネルネームに、該処理対象の出力ポートのシステムポートネームを設定する手段を、さらに備えることを特徴とする。
【発明の効果】
【００２２】
本発明によれば、入出力ポートと入出力ｃｈとをユーザが任意にパッチングできるミキシングシステムにおいて、論理的な結線関係と物理的な結線関係の両方をユーザに分かり易い形で管理できるような入出力ポートと入出力ｃｈへの名称設定を、ユーザが簡単に行うことができる。
【図面の簡単な説明】
【００２３】
【図１】この発明を適用した一実施形態であるミキシングシステムのユニット接続例を示す図
【図２】Ｉ／Ｏユニットと外部機器の接続例を示す図
【図３】ミキシングシステムのハードウェア構成図
【図４】ミキシングシステムの機能構成を示すブロック図
【図５】入力パッチ画面と出力パッチ画面を示す図
【図６】メモリ上の設定情報の構成図
【図７】入力ポート設定画面と入力ｃｈ設定画面を示す図
【図８】出力ｃｈ設定画面と出力ポート設定画面を示す図
【図９】ポートとｃｈストリップの対応例を示す図
【図１０】ｃｈストリップの構成例を示す図
【図１１】Ref. Sys Port Nameボタン押下時の処理を示すフローチャート
【図１２】Copy Sys Port Nameボタン押下時の処理を示すフローチャート
【発明を実施するための形態】
【００２４】
以下、図面を用いてこの発明の実施の形態を説明する。
【００２５】
図１は、この発明を適用した一実施形態であるミキシングシステムのユニット接続例を示す。１０１〜１０３は、それぞれＩ／Ｏユニットを示す。Ｉ／Ｏユニットは、外部機器からの音響信号を入力する入力ポートと、外部機器へ音響信号を出力する出力ポートを備える機器である。Ｉ／Ｏユニットは、幾つかのスロットを備え、該スロットに拡張カードを挿入して、入出力ポートを拡張することができる。１０４は信号処理を行うデジタル・シグナル・プロセッサ（ＤＳＰ）ユニット、１０５はコンソールを示す。この例では、Ｉ／Ｏユニット１０３とＤＳＰユニット１０４とが一体の機器で構成されている。コンソール１０５は、ユーザが操作する多数の操作子やディスプレイを備えた機器であり、ユーザによる操作指示を受け付け、ＤＳＰユニット１０４やＩ／Ｏユニット１０１〜１０３に指示を出す。該指示に応じて、各Ｉ／Ｏユニット１０１〜１０３の入力ポートから入力した音響信号がＤＳＰユニット１０４に送られ、各種の信号処理（例えば、レベル制御処理、周波数特性制御処理、混合処理、効果付与処理など）が施され、該信号処理の結果の音響信号が各Ｉ／Ｏユニット１０１〜１０３の出力ポートから出力される。１０６は上述の各ユニット間で複数ｃｈ分のデジタル音響信号や各種制御のためのデータの伝送を行うオーディオネットワークである。
【００２６】
図２は、１つのＩ／Ｏユニット１０１と外部機器の接続例を示す。Ｉ／Ｏユニット１０１は、固定の複数の入出力ポート２０１を備える。これらの入出力ポート２０１は、外部機器からの音響信号を入力する入力ポートと、外部機器へ音響信号を出力する出力ポートからなる。本図では、入力ポート２０２にマイク２０３が接続され、出力ポート２０４にアンプ２０５およびスピーカ２０６が接続されている。
【００２７】
さらに、Ｉ／Ｏユニット１０１は、幾つかのスロット（挿入口）を備え、該スロットに各種の拡張カード２０８を挿入することができる。拡張カードとしては、例えば、アナログ音響信号をＡ／Ｄ（アナログディジタル）変換して入力するアナログ入力カード、ディジタル音響信号をＤ／Ａ（ディジタルアナログ）変換しアナログ音響信号として出力するアナログ出力カード、およびディジタル音響信号の入出力を行うディジタル入出力カードなどがある。これらのカードも、２０１に示したものと同様の入出力ポートを持つ。Ｉ／Ｏユニット固定の入出力ポートおよび拡張カードの入出力ポートは、システム内では論理的に同等の取り扱いとなる。本図では、スロット２０９にアナログ入力カードが挿入され、該カードの入力ポート２１０にマイク２１１が接続されている。また、スロット２１２にアナログ出力カードが挿入され、該カードの出力ポート２１３にアンプ２１４とスピーカ２１５が接続されている。
【００２８】
ここではＩ／Ｏユニット１０１の接続例を説明したが、他のＩ／Ｏユニットについても同様である。
【００２９】
図３は、本実施形態のミキシングシステム全体のハードウェア構成を示すブロック図である。中央処理装置（ＣＰＵ）３０１は、このシステム全体の動作を制御する処理装置である。リードオンリメモリ（ＲＯＭ）３０２は、ＣＰＵ３０１が実行する各種のプログラムや各種のデータなどを格納した不揮発性メモリである。ランダムアクセスメモリ（ＲＡＭ）３０３は、ＣＰＵ３０１が実行するプログラムのロード領域やワーク領域に使用する揮発性メモリである。表示部３０５は、このミキシングシステムのコンソール１０５の操作パネル上に設けられた各種の情報を表示するためのディスプレイ（ＬＣＤ）である。表示部３０５は、タッチパネルになっており、該画面上に表示したボタンを指などで触れてオン／オフするなどの操作入力を行うことができる。表示インターフェース（ＩＦ）３０４は、表示部３０５を通信バス３２１に接続するためのインターフェースである。操作子３０７は、コンソール１０５の操作パネル上に設けられたユーザが操作するための各種の操作子である。検出ＩＦ３０６は、操作子３０７を通信バス３２１に接続するインターフェースである。通信Ｉ／Ｏ３０９は、各種の外部装置と接続するための入出力部である。通信ＩＦ３０８は、通信Ｉ／Ｏ３０９を通信バス３２１に接続するためのインターフェースである。
【００３０】
信号処理部（ＤＳＰ）３１０は、ＣＰＵ３０１の指示に基づいて各種のマイクロプログラムを実行することにより、入力したディジタル音響信号に対する各種の信号処理を行い、処理後の音響信号を出力する。ＤＳＰ３１０には音声バス３２２を介して、ＡＤ変換部３１２、ＤＡ変換部３１３、およびデジタル信号入出力部（ＤＤ部）３１４が接続されている。ＡＤ変換部３１２は、マイクなどで入力したアナログ音響信号をディジタル音響信号に変換して、音声バス３２２経由でＤＳＰ３１０に出力する複数系列のアナログディジタル変換機能を実現する。ＤＡ変換部３１３は、ＤＳＰ３１０から出力されるディジタル音響信号をアナログ音響信号に変換してアンプやスピーカなどの音響機器に出力する複数系列のディジタルアナログ変換機能を実現する。デジタル信号入出力部３１４は、外部機器からディジタル信号を入力してＤＳＰ３１０に渡したり、ＤＳＰ３１０の出力であるディジタル音響信号を外部装置に出力する複数系列のディジタル入出力機能を実現する。ＥＦＸ３１１は、入力したディジタル音響信号の効果付与処理を行うための信号処理装置（ＤＳＰ）である。
【００３１】
ＡＤ変換部３１２、ＤＡ変換部３１３、およびＤＤ部３１４は、図１のＩ／Ｏユニット１０１〜１０３に相当する。音声バス３２２は、オーディオネットワーク１０６に相当する。ＤＳＰ３１０は、図１のＤＳＰユニット１０４に相当する。ＥＦＸ３１１は、ＤＳＰユニット１０４や不図示の他のＤＳＰユニットあるいは拡張ＤＳＰカードなどで実現する。ＣＰＵ３０１〜通信Ｉ／Ｏ３０９の各部は、図１のコンソール１０５に相当する。通信バス３２１は、コンソール１０５の内部バスおよびオーディオネットワーク１０６に相当する。
【００３２】
図４は、本実施形態のミキシングシステムの機能構成を示すブロック図である。入力パッチ４０１に入る複数本の矢印は、図１，２で説明したＩ／Ｏユニット１０１〜１０３の入力ポートから、Ｉ／Ｏユニット内あるいは拡張カードのＡＤ変換機能やデジタル信号入力機能（図３の３１２，３１４）により入力した複数系列の入力信号を示す。入力パッチ４０１は、それらの入力ポートの入力信号を複数の入力ｃｈ４０２にパッチング（任意結線）する。パッチングの設定は、ユーザが所定の画面を見ながら任意に行うことができる（図５で後述する）。複数の入力ｃｈ４０２は、それぞれ、設定されたパラメータに基づいて入力信号に種々の信号処理を施す。それらの入力ｃｈ４０２の信号は、送出レベルをそれぞれ独立に設定してＭ本のＭＩＸバスやＣｕｅバス４０３（バス構成は任意）に送出される。
【００３３】
これらのバス４０３のそれぞれは、入力ｃｈ４０２から入力した信号をミキシングする。ミキシングされた信号は、それぞれ複数の出力ｃｈ４０４に出力される。各出力ｃｈ４０４は、設定されたパラメータに基づいて、入力された信号に種々の信号処理を施す。出力ｃｈ４０４の出力は、出力パッチ４０５に入力する。出力パッチ４０５は、出力ｃｈ４０４から出力される信号を複数の出力ポートにパッチング（任意結線）する。パッチングの設定は、ユーザが所定の画面を見ながら任意に行うことができる（図５で後述する）。出力パッチ４０５から出ている複数本の矢印は、Ｉ／Ｏユニット内あるいは拡張カードのＤＡ変換機能やデジタル信号出力機能（図３の３１３，３１４）経由で、図１，２で説明したＩ／Ｏユニット１０１〜１０３の出力ポートから出力される複数系列の出力信号を示す。
【００３４】
なお、入力パッチ４０１から出力パッチ４０５までの処理は、主として図３のＤＳＰ３１０が所定のマイクロプログラムを実行することにより実現する。該マイクロプログラムは、ＣＰＵ３０１がＤＳＰ３１０に送って設定する。ＤＳＰ３１０が該マイクロプログラムを実行するときに使用する係数データも、ＣＰＵ３０１がＤＳＰ３１０に送って設定する。
【００３５】
図５（ａ）は、図４の入力パッチ４０１によるパッチングを設定するための入力パッチ画面の例を示す。ユーザは、コンソール１０５で所定の操作を行うことにより図５（ａ）のパッチ画面を表示し入力パッチの設定を行うことができる。画面左側の５０１に示す表示「Ch.1，Ch.2，…」は図４の入力ｃｈ４０２のそれぞれを示す。画面上部の５０２に示す表示「１，２，…」は入力ポートのそれぞれを示す。ここでは、単なる番号「１，２，…」で示したが、実際には、どのＩ／Ｏユニットの固定の何番目の入力ポートであるか、あるいは、どのＩ／Ｏユニットの何番目のスロットに挿されたカードの何番目の入力ポートであるかが、特定できるような表示が為されている。ユーザは、割り当てたい入力ポートと入力ｃｈの交点位置にチェックを入れることにより、入力ポートと入力ｃｈとのパッチを行う。図５（ａ）で黒丸が表示されているのはパッチされた入力ポートと入力ｃｈを示す。例えば、黒丸５０３は、第２番目の入力ポートが入力Ch.2にパッチされていることを示している。１つの入力ポートの入力信号が複数の入力ｃｈに送出されるようにパッチすることもできる。例えば、黒丸５０４，５０５は、第５番目の入力ポートが入力Ch.1と入力Ch.4にパッチされていることを示している。
【００３６】
図５（ｂ）は、図４の出力パッチ４０５によるパッチングを設定するための出力パッチ画面の例を示す。ユーザは、コンソール１０５で所定の操作を行うことにより図５（ｂ）のパッチ画面を表示し出力パッチの設定を行うことができる。画面左側の５１１に示す表示「Ch.1，Ch.2，…」は図４の出力ｃｈ４０４のそれぞれを示す。画面上部の５１２に示す表示「１，２，…」は出力ポートのそれぞれを示す。ここでは、単なる番号「１，２，…」で示したが、実際には、どのＩ／Ｏユニットの固定の何番目の出力ポートであるか、あるいは、どのＩ／Ｏユニットの何番目のスロットに挿されたカードの何番目の出力ポートであるかが、特定できるような表示が為されている。ユーザは、割り当てたい出力ポートと出力ｃｈの交点位置にチェックを入れることにより、出力ポートと出力ｃｈとのパッチを行う。図５（ｂ）で黒丸が表示されているのはパッチされた出力ポートと出力ｃｈを示す。例えば、黒丸５１３は、出力Ch.2が第２番目の出力ポートにパッチされていることを示している。１つの出力ｃｈの信号が複数の出力ポートに送出されるようにパッチすることもできる。例えば、黒丸５１４，５１５は、出力Ch.1が第５番目と第６番目の出力ポートにパッチされていることを示している。
【００３７】
次に、本実施形態のミキシングシステムの特徴である、ポートやｃｈに付ける名前について説明する。図６は、入力ｃｈ、入力ポート、出力ｃｈ、および出力ポートに付ける名前などのデータを格納するメモリ上の設定情報領域の構造を示す。
【００３８】
図６（ａ）は、個々の入力ポート毎に設けられる入力ポート設定情報の構成を示す。６０１は当該入力ポートをシステム内で一意に特定するためのＩＤ（ポート番号）、６０２は当該入力ポートにパッチされた入力ｃｈ（複数あってもよい）、６０３は当該入力ポートにユーザが任意で付けたユーザポートネーム（User Port Name）、６０４は当該入力ポートのシステムポートネーム（System Port Name）を示す。ＩＤ６０１とSystem Port Name６０４は、システムにより自動で割り当てられて設定される。Ｃｈ６０２は、その時点で設定されている入力パッチの状態に応じて設定される。User Port Name６０３は、ユーザが設定していなければ初期状態は空欄である。
【００３９】
図６（ｂ）は、個々の入力ｃｈ毎に設けられる入力ｃｈ設定情報の構成を示す。６１１は当該入力ｃｈをシステム内で一意に特定するためのＩＤ（ｃｈ番号）、６１２は当該入力ｃｈにパッチされた入力ポート、６１３はユーザの所定の操作によって当該入力ｃｈに付けられたビューネーム（View Name）、６１４は当該入力ｃｈにユーザが任意で付けたｃｈネーム（Channel Name）を示す。ＩＤ６１１はシステムにより自動で割り当てられ設定される。入力ポート６１２は、その時点で設定されている入力パッチの状態に応じて設定される。View Name６１３とChannel Name６１４は、それぞれ、ユーザがこれらのネームを設定する操作を行っていなければ、初期状態は空欄である。
【００４０】
図６（ｃ）は、個々の出力ｃｈ毎に設けられる出力ｃｈ設定情報の構成を示す。６２１は出力ｃｈをシステム内で一意に特定するためのＩＤ（ｃｈ番号）、６２２は当該出力ｃｈにパッチされた出力ポート（複数あってもよい）、６２３は当該出力ｃｈにユーザが任意で付けたｃｈネーム（Channel Name）を示す。ＩＤ６２１はシステムにより自動で割り当てられ設定される。出力ポート６２２は、その時点で設定されている出力パッチの状態に応じて設定される。Channel Name６２３は、ユーザが設定していなければ初期状態は空欄である。
【００４１】
図６（ｄ）は、個々の出力ポート毎に設けられる出力ポート設定情報の構成を示す。６３１は当該出力ポートをシステム内で一意に特定するためのＩＤ（ポート番号）、６３２は当該出力ポートにパッチされた出力ｃｈ、６３３はユーザの所定の操作によって当該出力ｃｈに付けられたビューネーム（View Name）、６３４は当該出力ポートにユーザが任意で付けたユーザポートネーム（User Port Name）、６３５は当該出力ポートのシステムポートネーム（System Port Name）を示す。ＩＤ６３１とSystem Port Name６３５は、システムにより自動で割り当てられ設定される。Ｃｈ６３２は、その時点で設定されている出力パッチの状態に応じて設定される。View Name６３３とUser Port Name６３４は、ユーザがこれらのネームを設定する操作を行っていなければ、初期状態は空欄である。
【００４２】
図７（ａ）は、入力ポートの名称設定を行うためのInput Port Setting画面を示す。この画面は、ユーザが任意の１つの入力ポートを指定して所定の指示操作を行ったとき表示される。タイトル表示領域７０１には、この画面がInput Port Setting画面であることを示す「Input Port Setting」が表示されている。その後に「IO1/Card3/Port2」と表示されているが、この「IO1」は第１番目のＩ／Ｏユニットであることを特定する文字列であり、「Card3」は当該ユニットの第３番目のスロットに挿入されたカードであることを特定する文字列であり、「Port2」は当該カードの第２番目のポートであることを特定する文字列である。このタイトル表示により、当該Setting画面がシステム内のどの入力ポートに関するものかが認識できる。
【００４３】
System Port Name欄７０２は、各入力ポートを一意に識別できるシステムポートネームの表示である。システムポートネームは、上述のＩ／Ｏユニットを特定する文字列と、そのユニットの何番目のスロットに挿入されたカードであるかを特定する文字列と、そのカードの何番目のポートであるかを特定する文字列とを、アンダーバーでつなげて構成した名称とする。このシステムポートネームは、電源オンされたときの初期設定処理において、システムが自動で各入力ポートに付し、図６（ａ）で説明した入力ポート設定情報のSystem Port Name６０４に設定されているので、それを読み出してSystem Port Name欄７０２に表示する。User Port Name欄７０３は、ユーザが任意に当該ポートに設定したユーザポートネームの表示である。ユーザは、この表示欄７０３に、カーソルをセットし、任意の入力手段でユーザポートネームを設定することができる。ここで設定したユーザポートネームが、図６（ａ）のUser Port Name６０４に設定される。
【００４４】
７０４は、当該入力ポートにパッチされているパッチ先の全ての入力ｃｈのビューネーム（View Name）とｃｈネーム（Channel Name）の一覧表示である。１つの入力ポートに複数の入力ｃｈがパッチされる場合もあるので、表形式でｃｈ番号とビューネーム（View Name）とｃｈネーム（Channel Name）を表示している。一覧表示７０４は、当該入力ポートの設定情報（図６（ａ））のＣｈ６０２を参照して、当該入力ポートにパッチされている全ての入力ｃｈを取得し、取得した入力ｃｈの設定情報（図６（ｂ））のView Name６１３とChannel Name６１４を取得して表示する。View Name６１３またはChannel Name６１４が設定されていない場合、一覧表示７０４内のその欄も空欄となる。また、当該入力ポートにパッチされている入力ｃｈが無い場合、この一覧表示７０４は表示されない。
【００４５】
７０５は連番付けチェックボックス、７０６は連番の付け方（タイプ）を指定するリストボックスである。７０７〜７１０はネーム設定用のボタンである。
【００４６】
図７（ａ）の入力ポート設定画面において、Ref. Sys Port Nameボタン７０７が押下されたときの処理を説明する。該ボタン７０７は、押下される毎にトグルでオン／オフを切り替えるボタンである。該ボタン７０７がオンに切り替えられたとき、当該入力ポートにパッチされている全ての入力ｃｈの入力ｃｈ設定情報（図６（ｂ））のView Name６１３に、当該入力ポートの設定情報（図６（ａ））のSystem Port Name６０４を参照コピーすることを指示するフラグ（「System Port Name参照フラグ」と呼ぶ）を設定する。これ以後、当該入力ｃｈに関する情報を表示する種々の場面でビューネームを表示する欄があった場合は、当該入力ｃｈ設定情報のView Name６１３にSystem Port Name参照フラグが設定されているので、パッチ元の入力ポートのSystem Port Name６０４を参照し、前記ビューネームを表示する欄には該System Port Name６０４を表示することになる。もちろん、Ref. Sys Port Nameボタン７０７を押下した当該入力ポート設定画面の一覧表示７０４のView Nameの欄も一括して書き替えられる。
【００４７】
図７（ａ）の入力ポート設定画面において、Ref. Sys Port Nameボタン７０７がオフに切り替えられたときは、当該入力ポートにパッチされている全ての入力ｃｈの入力ｃｈ設定情報（図６（ｂ））のView Name６１３に、それぞれ自入力ｃｈの設定情報（図６（ｂ））のChannel Name６１４を参照コピーすることを指示するフラグ（「入力Channel Name参照フラグ」と呼ぶ）を設定する。これ以後、当該入力ｃｈに関する情報を表示する種々の場面でビューネームを表示する欄があった場合は、当該入力ｃｈ設定情報のView Name６１３に入力Channel Name参照フラグが設定されているので、自ｃｈのChannel Name６１４を参照し、前記ビューネームを表示する欄には該Channel Name６１４を表示することになる。もちろん、Ref. Sys Port Nameボタン７０７を押下した当該入力ポート設定画面の一覧表示７０４のView Nameの欄も一括して書き替えられる。
【００４８】
なお、上述のSystem Port Name参照フラグがView Name６１３に設定されている状態で、そのパッチ元の入力ポートとの間のパッチ関係が断ち切られた場合は、当該View Name６１３を空欄に変更するものとする。ただし、上述のChannel Name参照フラグがView Name６１３に設定されている状態で、そのパッチ元の入力ポートとの間のパッチ関係が断ち切られた場合は、当該View Name６１３に設定されているChannel Name参照フラグは変更しないものとする。
【００４９】
図７（ａ）の入力ポート設定画面において、Ref. User Port Nameボタン７０８が押下されたときの処理を説明する。該ボタン７０８は、押下される毎にトグルでオン／オフを切り替えるボタンである。該ボタン７０８がオンに切り替えられたとき、当該入力ポートにパッチされている全ての入力ｃｈの入力ｃｈ設定情報（図６（ｂ））のView Name６１３に、当該入力ポートの設定情報（図６（ａ））のUser Port Name６０３を参照コピーすることを指示するフラグ（「User Port Name参照フラグ」と呼ぶ）を設定する。これ以後、当該入力ｃｈに関する情報を表示する種々の場面でビューネームを表示する欄があった場合は、当該入力ｃｈ設定情報のView Name６１３にUser Port Name参照フラグが設定されているので、パッチ元の入力ポートのUser Port Name６０３を参照し、前記ビューネームを表示する欄には該User Port Name６０３を表示することになる。もちろん、Ref. User Port Nameボタン７０８を押下した当該入力ポート設定画面の一覧表示７０４のView Nameの欄も一括して書き替えられる。
【００５０】
図７（ａ）の入力ポート設定画面において、ボタン７０８がオフに切り替えられたときの処理は、上述のRef. Sys Port Nameボタン７０７がオフに切り替えられたときと同じである。
【００５１】
図７（ａ）の入力ポート設定画面において、Copy Sys Port Nameボタン７０９が押下されたときの処理を説明する。該ボタン７０９は、トグルのボタンではなく、押下されると以下の処理を行うモーメンタリーなボタンである。該ボタン７０９が押下されたとき、当該入力ポートにパッチされている全ての入力ｃｈの入力ｃｈ設定情報（図６（ｂ））のChannel Name６１４に、当該入力ポートの設定情報（図６（ａ））のSystem Port Name６０４をコピーする。一覧表示７０４のChannel Name欄は一括して再表示される。
【００５２】
図７（ａ）の入力ポート設定画面において、Copy User Port Nameボタン７１０が押下されたときの処理を説明する。該ボタン７１０は、トグルのボタンではなく、押下されると以下の処理を行うモーメンタリーなボタンである。該ボタン７１０が押下されたとき、当該入力ポートにパッチされている全ての入力ｃｈの入力ｃｈ設定情報（図６（ｂ））のChannel Name６１４に、当該入力ポートの設定情報（図６（ａ））のUser Port Name６０３をコピーする。一覧表示７０４のChannel Name欄は一括して再表示される。
【００５３】
なお、Copy Sys Port Nameボタン７０９またはCopy User Port Nameボタン７１０が押下されたとき、連番付けチェックボックス７０５にチェックが入っていなければ、System Port Name６０４またはUser Port Name６０３のデータがそれぞれそのままChannel Name６１４にコピーされ、チェックボックス７０５にチェックが入っていれば、System Port Name６０４またはUser Port Name６０３のデータにそれぞれ連番としてのポストフィックスが付けられてChannel Name６１４にコピーされる。付けるポストフィックスのタイプは、リストボックス７０６により指定できる。指定できるタイプとしては「１，２，３，…」、「ａ，ｂ，ｃ，…」、または「Main，Sub1，Sub2，…」などがある。また、タイプはユーザが任意に作成できるようにしてもよい。図７（ａ）の一覧表示７０４は、連番付けチェックボックス７０５にチェックが入っており、「Main，Sub1，Sub2，…」のタイプが指定されて、Copy User Port Nameボタン７１０が押下された状態を示している。User Port Name７０３には図示するように「Vocal」が設定されており、このデータにポストフィックスとして「Main，Sub1，Sub2，…」を順に付けた名前「Vocal_Main，Vocal_Sub1，…」が、パッチされている入力ｃｈのｃｈネームとして設定され、一覧表示７０４のChannel Nameの欄に表示されている。ポストフィックスを付ける順番は、入力ｃｈ番号の順とする。このように、ｃｈネームとして、System Port NameやUser Port Nameにポストフィックスを付けた名前を簡単に付けることができ、これにより、ｃｈネームを見れば、そのｃｈが物理的にどのポートに接続されていて、どのような役割を担っているｃｈであるか（例えば、「１，２，３，…」や「ａ，ｂ，ｃ，…」のポストフィックスであれば、その信号の何番目の処理ｃｈであるかが把握できるし、「Main，Sub1，Sub2，…」のポストフィックスであれば、その信号のメインの処理ｃｈとサブの処理ｃｈを明確に把握できる。
【００５４】
なお、Copy Sys Port Nameボタン７０９およびCopy User Port Nameボタン７１０が押下されたときの処理では、ネームデータ自体がChannel Name６１４にコピーされて設定されるので、その後にパッチ関係の変更があってもChannel Name６１４に設定されたデータは変更されない。
【００５５】
図７（ｂ）は、入力ｃｈの名称設定を行うためのInput Channel Setting画面を示す。この画面は、ユーザが任意の１つの入力ｃｈを指定して所定の指示操作を行ったとき表示される。タイトル表示領域７２１には、この画面がInput Channel Setting画面であることを示す「Input Channel Setting」が表示されている。その後に「Ch.1」と表示されているが、この表示は処理対象が入力Ch.1であることを示している。
【００５６】
View Name欄７２２とChannel Name欄７２３には、当該入力ｃｈの設定情報（図６（ｂ））のView Name６１３とChannel Name６１４を読み出して表示する。View Name６１３またはChannel Name６１４が設定されていない場合、それぞれ、それらの表示欄７２２，７２３は空欄となる。ユーザは、Channel Name欄７２３にカーソルをセットし、任意の入力手段でｃｈネームを設定することができる。
【００５７】
７２４と７２５は、当該入力ｃｈにパッチされているパッチ元の入力ポートのシステムポートネーム（System Port Name）とユーザポートネーム（User Port Name）の表示である。１つの入力ｃｈのパッチ元の入力ポートは１つであるので、System Port Name欄７２４とUser Port Name欄７２５は１つずつ設けられている。これらの欄７２４，７２５は、当該入力ｃｈの設定情報（図６（ｂ））のInput Port６１２を参照して、当該入力ｃｈにパッチされている入力ポートを取得し、取得した入力ポートの設定情報（図６（ａ））のSystem Port Name６０４とUser Port Name６０３を取得して表示する。User Port Name６０３が設定されていない場合、欄７２５は空欄となる。また、当該入力ｃｈにパッチされている入力ポートが無い場合、これらの欄７２４，７２５は空欄となる。７２７〜７３０はネーム設定用のボタンである。
【００５８】
図７（ｂ）の入力ｃｈ設定画面において、Ref. Sys Port Nameボタン７２７またはRef. User Port Nameボタン７２８が押下されたときの処理を説明する。これらの場合の処理は、それぞれ、基本的に図７（ａ）の入力ポート設定画面のRef. Sys Port Nameボタン７０７またはRef. User Port Nameボタン７０８が押下されたときの処理と同じである。ただし、図７（ａ）の入力ポート設定画面でボタン７０７，７０８が押下されたときは、処理対象の入力ポートにパッチされている全ての入力ｃｈの入力ｃｈ設定情報（図６（ｂ））のView Name６１３の書き替えを行ったが、図７（ｂ）のボタン７２７，７２８が押下されたときは、当該入力ｃｈ設定画面における１つの処理対象の入力ｃｈの入力ｃｈ設定情報（図６（ｂ））のView Name６１３のみ書き替えを行うものとする。
【００５９】
図７（ｂ）の入力ｃｈ設定画面において、Copy Sys Port Nameボタン７２９またはCopy User Port Nameボタン７３０が押下されたときの処理を説明する。これらの場合の処理は、それぞれ、基本的に図７（ａ）の入力ポート設定画面のCopy Sys Port Nameボタン７０９またはCopy User Port Nameボタン７１０が押下されたときの処理と同じである。ただし、図７（ａ）の入力ポート設定画面でボタン７０９，７１０が押下されたときは、処理対象の入力ポートにパッチされている全ての入力ｃｈの入力ｃｈ設定情報（図６（ｂ））のChannel Name６１４の書き替えを行ったが、図７（ｂ）のボタン７２９，７３０が押下されたときは、当該入力ｃｈ設定画面における１つの処理対象の入力ｃｈの入力ｃｈ設定情報（図６（ｂ））のChannel Name６１４のみ書き替えを行うものとする。なお、図７（ａ）の入力ポート設定画面ではボタン７０９，７１０によるChannel Nameへのコピーの際にポストフィックスを付ける機能（連番機能）が設けられているが、入力ｃｈ側から見ると１つの入力ｃｈには１つの入力ポートがパッチされるので、図７（ｂ）の入力ｃｈ設定画面では連番機能を果たすチェックボックス７０５およびリストボックス７０６に相当する構成は無い。
【００６０】
図８（ａ）は、出力ｃｈの名称設定を行うためのOutput Channel Setting画面を示す。この画面は、ユーザが任意の１つの出力ｃｈを指定して所定の指示操作を行ったとき表示される。タイトル表示領域８０１には、この画面がOutput Channel Setting画面であることを示す「Output Channel Setting」が表示されている。その後に「Ch.1」と表示されているが、この表示は処理対象が出力Ch.1であることを示している。
【００６１】
Channel Name欄８０３には、当該出力ｃｈの設定情報（図６（ｃ））のChannel Name６２３に基づいて、当該ｃｈネームが表示される。Channel Name６２３が設定されていない場合は、表示欄８０３は空欄となる。ユーザは、Channel Name欄８０３にカーソルをセットし、任意の入力手段で出力ｃｈネームを設定することができる。
【００６２】
８０４は、当該出力ｃｈにパッチされているパッチ先の全ての出力ポートのビューネーム（View Name）とシステムポートネーム（System Port Name）とユーザポートネーム（User Port Name）の一覧表示である。１つの出力ｃｈに複数の出力ポートがパッチされる場合もあるので、表形式でビューネームとシステムポートネームとユーザポートネームを表示している。一覧表示８０４は、当該出力ｃｈの設定情報（図６（ｃ））のOutput Port６２２を参照して、当該出力ｃｈにパッチされている全ての出力ポートを取得し、取得した出力ポートの設定情報（図６（ｄ））のView Name６３３とSystem Port Name６３５とUser Port Name６３４を取得して表示する。View Name６３３またはUser Port Name６３４が設定されていない場合、一覧表示８０４内のそれらの欄は空欄となる。また、当該出力ｃｈにパッチされている出力ポートが無い場合、この一覧表示８０４は表示されない。
【００６３】
８０５は連番付けチェックボックス、８０６は連番の付け方（タイプ）を指定するリストボックスである。８０７，８０９はネーム設定用のボタンである。
【００６４】
図８（ａ）の出力ｃｈ設定画面において、Ref. Channel Nameボタン８０７が押下されたときの処理を説明する。該ボタン８０７は、押下される毎にトグルでオン／オフを切り替えるボタンである。該ボタン８０７がオンに切り替えられたとき、当該出力ｃｈにパッチされている全ての出力ポートの出力ポート設定情報（図６（ｄ））のView Name６３３に、当該出力ｃｈの設定情報（図６（ｃ））のChannel Name６２３を参照コピーすることを指示するフラグ（「出力Channel Name参照フラグ」と呼ぶ）を設定する。このとき、連番付けチェックボックス８０５にチェックが入っていなければ、前記出力Channel Name参照フラグのみをView Name６３３に設定する。チェックボックス８０５にチェックが入っているときは、前記出力Channel Name参照フラグをView Name６３３に設定することに加えて、当該出力ｃｈにパッチされている全ての出力ポートに対してポート番号の順番でポストフィックスを付けることを示す情報をView Name６３３に設定する。付けるポストフィックスのタイプは、リストボックス７０６により指定されたものとする。指定できるタイプとしては「１，２，３，…」、「ａ，ｂ，ｃ，…」、または「H，M，L，…」などがある。また、タイプはユーザが任意に作成できるようにしてもよい。
【００６５】
図８（ａ）の出力ｃｈ設定画面の一覧表示８０４のView Nameに「FOH_Out_Left_1」「FOH_Out_Left_2」…と表示されているが、これはChannel Nameに「FOH_Out_Left」が設定され、連番付けチェックボックス８０５がチェックされ、タイプ８０６に「１，２，…」が選択されている状態で、Ref. Channel Nameボタン８０７がオンに切り替えられた場合の表示を示している。この場合、当該出力ｃｈにパッチされている複数の出力ポートの出力ポート設定情報（図６（ｄ））のView Name６３３に、出力Channel Name参照フラグとともに、出力ポート番号の順番で「１，２，…」のタイプのポストフィックスを付けることを示す情報が設定されている。従って、一覧表示８０４のView Nameには、出力Channel Name６２３を参照して取得した「FOH_Out_Left」にポストフィックスの「１，２，…」が順番に付されて表示されている。これ以後、当該出力ポートに関する情報を表示する種々の場面でビューネームを表示する欄があった場合は同様に表示される。
【００６６】
なお、上述の出力Channel Name参照フラグがView Name６３３に設定されている状態で、当該出力ｃｈと出力ポートとの間のパッチ関係が断ち切られた場合は、当該View Name６３３を空欄に変更するものとする。
【００６７】
図８（ａ）の出力ｃｈ設定画面において、Ref. Channel Nameボタン８０７がオフに切り替えられたときは、当該出力ｃｈにパッチされている全ての出力ポートの出力ポート設定情報（図６（ｄ））のUser Port Name６３４に、それぞれ当該出力ｃｈの設定情報（図６（ｃ））のChannel Name６２３をコピーする。このとき、連番付けチェックボックス８０５にチェックが入っていなければ、前記出力Channel Name６２３をそのままUser Port Name６３４にコピーする。チェックボックス８０５にチェックが入っているときは、ポート番号の順番で、前記出力Channel Name６２３にポストフィックスを付けてUser Port Name６３４にコピーする。ポストフィックスのタイプは、リストボックス７０６により指定されたものとする。指定できるタイプとしては「１，２，３，…」、「ａ，ｂ，ｃ，…」、または「H，M，L，…」などがある。また、タイプはユーザが任意に作成できるようにしてもよい。
【００６８】
図８（ａ）の出力ｃｈ設定画面の一覧表示８０４のUser Port Nameに「FOH_Out_Left_1」「FOH_Out_Left_2」…と表示されているが、これはChannel Nameに「FOH_Out_Left」が設定され、連番付けチェックボックス８０５がチェックされ、タイプ８０６に「１，２，…」が選択されている状態で、Ref. Channel Nameボタン８０７がオフに切り替えられた場合の表示を示している。この場合、当該出力ｃｈにパッチされている複数の出力ポートの出力ポート設定情報（図６（ｄ））のUser Port Name６３４に、出力Channel Name６２３に出力ポート番号の順番で「１，２，…」のタイプのポストフィックスを付けたデータが、設定される。従って、一覧表示８０４のUser Port Nameには、出力Channel Name６２３を参照して取得した「FOH_Out_Left」にポストフィックスの「１，２，…」が順番に付されて表示されている。これ以後、当該出力ポートに関する情報を表示する種々の場面でユーザポートネームを表示する欄があった場合は同様に表示される。
【００６９】
図８（ａ）の出力ｃｈ設定画面において、Copy Channel Nameボタン８０９が押下されたときの処理を説明する。該ボタン８０９は、トグルのボタンではなく、押下されると以下の処理を行うモーメンタリーなボタンである。該ボタン８０９が押下されたとき、当該出力ｃｈの出力ｃｈ設定情報（図６（ｃ））のChannel Name６２３に、当該出力ｃｈにパッチされている出力ポートの出力ポート設定情報（図６（ｄ））のSystem Port Name６３５を、コピーする。当該出力ｃｈにパッチされている出力ポートが複数ある場合は、最初の出力ポートのSystem Port Name６３５をコピーするものとする。ただし、Channel Name６２３として十分な大きさの領域を用意しておき、当該出力ｃｈにパッチされている全ての出力ポートのSystem Port Name６３５をコピーするようにしてもよい。コピーの後、Channel Name欄８０３は再表示される。
【００７０】
なお、Copy Channel Nameボタン８０９が押下されたときの処理では、ネームデータ自体がChannel Name６２３にコピーされて設定されるので、その後にパッチ関係の変更があってもChannel Name６２３に設定されたデータは変更されない。
【００７１】
図８（ｂ）は、出力ポートの名称設定を行うためのOutput Port Setting画面を示す。この画面は、ユーザが任意の１つの出力ポートを指定して所定の指示操作を行ったとき表示される。タイトル表示領域８２１には、この画面がOutput Port Setting画面であることを示す「Output Port Setting」が表示されている。その後に「IO1/Card1/Port5」と表示されているが、この「IO1」は第１番目のＩ／Ｏユニットであることを特定する文字列であり、「Card1」は当該ユニットの第１番目のスロットに挿入されたカードであることを特定する文字列であり、「Port5」は当該カードの第５番目のポートであることを特定する文字列である。このタイトル表示により、当該Setting画面がシステム内のどの出力ポートに関するものかが認識できる。
【００７２】
View Name欄８２２は、当該出力ポートに付けられたビューネーム（図６（ｄ）の６３３）の表示である。System Port Name欄８２３は、各出力ポートを一意に識別できるシステムポートネームの表示である。システムポートネームの命名方式は、入力ポートのシステムポートネームと同様である。このシステムポートネームは、電源オンされたときの初期設定処理において、システムが自動で各出力ポートに付し、図６（ｄ）で説明した出力ポート設定情報のSystem Port Name６３５に設定されているので、それを読み出してSystem Port Name８２３として表示する。User Port Name欄８２４は、ユーザが任意に当該ポートに設定したユーザポートネームの表示である。ユーザは、この表示欄８２４に、カーソルをセットし、任意の入力手段でユーザポートネームを設定することができる。ここで設定したユーザポートネームが、図６（ｄ）のUser Port Name６３４に設定される。
【００７３】
８２５は当該出力ポートにパッチされている出力ｃｈの出力ｃｈ番号と出力ｃｈネーム（Channel Name）の表示である。１つの出力ポートのパッチ元の出力ｃｈは１つであるので、Patched Output Channelの欄８２５は１つ設けられている。この欄８２５は、当該出力ポートの設定情報（図６（ｄ））のＣｈ６３２を参照して、当該出力ポートにパッチされているパッチ元の出力ｃｈを取得し、取得した出力ｃｈの設定情報（図６（ｃ））のChannel Name６２３に基づいて表示する。欄８２５の左側は、当該出力ｃｈの出力ｃｈ番号である。Channel Name６２３が設定されていない場合、欄８２５のうち、右側のChannel Nameを表示する欄は空欄となる。また、当該出力ポートにパッチされている出力ｃｈが無い場合、欄８２５は空欄となる。８２７，８２９はネーム設定用のボタンである。
【００７４】
図８（ｂ）の出力ポート設定画面において、Ref. Channel Nameボタン８２７が押下されたときの処理を説明する。この場合の処理は、基本的に図８（ａ）の出力ｃｈ設定画面のRef. Channel Nameボタン８０７が押下されたときの処理と同じである。ただし、図８（ａ）の出力ｃｈ設定画面でボタン８０７が押下されたときは、処理対象の出力ｃｈにパッチされている全ての出力ポートの出力ポート設定情報（図６（ｄ））のView Name６３３やUser Port Name６３４の書き替えを行ったが、図８（ｂ）のボタン８２７が押下されたときは、当該出力ポート設定画面における１つの処理対象の出力ポートの出力ポート設定情報（図６（ｄ））のView Name６３３やUser Port Name６３４のみ書き替えを行うものとする。
【００７５】
図８（ｂ）の出力ポート設定画面において、Copy Channel Nameボタン８２９が押下されたときの処理を説明する。この場合の処理は、基本的に図８（ａ）の出力ｃｈ設定画面のCopy Channel Nameボタン８０９が押下されたときの処理と同じである。ただし、図８（ｂ）のボタン８２９が押下されたときは、当該処理対象の出力ポートの出力ポート設定情報（図６（ｄ））のSystem Port Name６３５を、パッチ元の出力ｃｈの出力ｃｈ設定情報（図６（ｃ））のChannel Name６２３に、コピーするものとする。
【００７６】
図９（ａ）は、Ｉ／Ｏユニットの入力ポートとコンソールのｃｈストリップとの対応関係の例を示す図である。９０２は、Ｉ／Ｏユニット９０１の１つの入力ポートを示す。この入力ポート９０２には、不図示のマイクその他の音響信号源が物理的に接続されているものとする。一方、この入力ポート９０２は、ユーザのパッチの設定により、入力Ch.1と入力Ch.4にパッチされているとする。９１０はコンソール１０５の操作パネルを示し、該操作パネル上には複数のｃｈストリップが設けられている。１本のｃｈストリップには、各種のノブやボタンおよびフェーダなどの操作子が備えられており、各ｃｈストリップに入力ｃｈを割り当てて、ｃｈストリップの操作子によりそのｃｈストリップに割り当てられた入力ｃｈの制御ができるようになっている。ｃｈストリップには、インジケータと呼ばれる小ディスプレイ領域が設けられている。インジケータには、当該ｃｈストリップに割り当てられたｃｈにユーザが任意で付けたｃｈネーム（Channel Name）を表示するほか、ユーザの指示に応じて、当該ｃｈのビューネーム（View Name）を表示することができる。
【００７７】
ここで、ｃｈストリップ９１１と９１２は入力Ch.1と入力Ch.4にそれぞれ割り当てられているとする。上述したとおり、入力ポート９０２は入力Ch.1と入力Ch.4にパッチされている。ライン９０３は、そのような入力ポートとｃｈストリップとの対応関係を示したものである。このとき、ｃｈストリップ９１１，９１２のインジケータには、割り当てられている入力ｃｈのｃｈネームを表示させることができ、さらにユーザの指示により、当該ｃｈのビューネームを表示させることができる。ｃｈネームについては、ユーザが任意に設定できるほか、図７（ａ）および（ｂ）のCopy Sys Port NameボタンやCopy User Port Nameボタンによる設定機能および連番機能を利用して、当該入力ｃｈのパッチ元の入力ポートのシステムポートネームやユーザポートネームからコピーしたネームを（ポストフィックス付きあるいは無しで）入力ｃｈネームに簡単に設定できる。ビューネームについては、図７（ａ）および（ｂ）のRef. Sys Port NameボタンやRef. User Port Nameボタンによる設定機能を利用して、当該入力ｃｈのパッチ元の入力ポートのシステムポートネームや当該入力ｃｈのｃｈネームを参照してビューネームを取得するように簡単に設定できる。そのように設定されたビューネームやｃｈネームをｃｈストリップ９１１，９１２のインジケータに表示させることができるので、ユーザは、ｃｈストリップ９１１，９１２を操作する際、どの入力ポートから入力した信号を調整できるのかが容易に把握できる、というメリットがある。
【００７８】
図９（ｂ）は、コンソールの出力ｃｈ用のｃｈストリップとＩ／Ｏユニットの出力ポートとの対応関係の例を示す図である。コンソール１０５の操作パネル９１０上に、出力ｃｈに割り当てられたｃｈストリップ９１３が設けられている。Ｉ／Ｏユニット９２０の９２１と９２２は出力ポートを示す。これらの出力ポートには例えばアンプとスピーカが物理的に接続されている。一方、ユーザによる出力側のパッチ設定で、ｃｈストリップ９１３に割り当てられている出力ｃｈが、出力ポート９２１，９２２にパッチされているとする。ライン９２３は、そのような出力ポートとｃｈストリップとの対応関係を示している。このとき、ｃｈストリップ９１３のインジケータには、割り当てられている出力ｃｈのｃｈネームを表示させることができ、さらにユーザの指示により、当該出力ｃｈのパッチ先の出力ポートのビューネームを表示させることができる。ｃｈネームについては、ユーザが任意に設定できるほか、図８（ａ）および（ｂ）のCopy Channel Nameボタンによる設定機能を利用して、当該出力ｃｈのパッチ先の出力ポートのシステムポートネームを出力ｃｈのｃｈネームに簡単に設定できる。ビューネームについては、図８（ａ）および（ｂ）のRef. Channel Nameボタンによる設定機能および連番機能を利用して、パッチ元の出力ｃｈのｃｈネームを参照してビューネームを取得するように簡単に設定できる。そのように設定されたビューネームやｃｈネームをｃｈストリップ９１３のインジケータに表示させることができるので、ユーザは、ｃｈストリップ９１３を操作する際、どの出力ポートに出力する信号を調整できるのかが容易に把握できる、というメリットがある。
【００７９】
図１０は、コンソール１０５の操作パネル上の１本の入力ｃｈストリップの構成を示す。入力ｃｈストリップには、イコライザ（ＥＱ）やＰＡＮの調整のためのノブ１００１、インジケータ（小ディスプレイ領域）１００２、オンボタン１００３、およびフェーダ１００４などが設けられている。インジケータ１００２には、上述したように、当該ｃｈストリップに割り当てられているｃｈを特定するｃｈネームやビューネームが表示される。インジケータ１００２にｃｈネームを表示することでｃｈとｃｈストリップとの対応関係は把握できるが、ｃｈ数が多くなった場合、ｃｈネームではどのｃｈか認識できないこともあるので、本実施形態ではｃｈネーム以外にそのｃｈのビューネームをインジケータ７０２に表示できるようにしている。出力側のｃｈストリップの構成については省略するが、図７の入力ｃｈストリップと同様のインジケータを備えている点は同じである。
【００８０】
上記図９および１０では、操作パネル上のインジケータにビューネームやｃｈネームを表示する例を説明したが、その他にも、入出力ｃｈと入出力ポートとの結線関係を示す図を表示する画面や、入出力ｃｈ毎の個別の詳細画面や、入出力ポート毎の個別の詳細画面など、種々の画面表示を行う際に、図６で説明した各入出力ｃｈや入出力ポートに付けた各種の名前を適宜切り替えながら表示するすることで、ユーザは論理的な結線関係と物理的な結線関係の両方を把握しながら操作することができるメリットがある。
【００８１】
図１１は、図７（ａ）の入力ポート設定画面でRef. Sys Port Nameボタン７０７が押下されたときにＣＰＵ３０１が実行する処理フローを示す。ステップ１１０１で、該ボタンのオン／オフ状態をトグルで切り替える。ステップ１１０２で、当該処理対象入力ポートのパッチ先の入力ｃｈを全て取得する。ステップ１１０３で、オン／オフのどちらに切り替わったのか判別する。オンに切り替わったときは、ステップ１１０４で、前記ステップ１１０２で取得した全ての入力ｃｈに関する入力ｃｈ設定情報（図６（ｂ））のView Name６１３に、「System Port Name参照フラグ」を設定する。オフに切り替わったときは、ステップ１１０５で、前記ステップ１１０２で取得した全ての入力ｃｈに関する入力ｃｈ設定情報（図６（ｂ））のChannel Name６１４に、「入力Channel Name参照フラグ」を設定する。ステップ１１０６で、入力ポート設定画面の再表示を行って、一覧表示７０４を書き換える。
【００８２】
なお、Ref. User Port Nameボタン７０８が押下されたときの処理も図１１と同様である。ただし、ステップ１１０４では「User Port Name参照フラグ」を設定する。また、Ref. Sys Port Nameボタン７０７の操作による設定とRef. User Port Nameボタン７０８の操作による設定とは、常に新しく操作された方の設定が有効であるものとする。さらに、図７（ｂ）のRef. Sys Port Nameボタン７２７またはRef. User Port Nameボタン７２８が押下されたときの処理も図１１と同様である。ただし、処理対象が１つの入力ｃｈである点が異なる。
【００８３】
図１２は、図７（ａ）の入力ポート設定画面でCopy Sys Port Nameボタン７０９が押下されたときにＣＰＵ３０１が実行する処理フローを示す。ステップ１２０１で、当該処理対象入力ポートのパッチ先の入力ｃｈを全て取得する。ステップ１２０２で、連番付けチェックボックス７０５がチェックされているか否か判別する。チェックされていたときは、ステップ１２０３で、前記ステップ１２０１で取得した全ての入力ｃｈに関する入力ｃｈ設定情報（図６（ｂ））のChannel Name６１４に、当該入力ポートのシステムポートネームを、リストボックス７０６で指定されたタイプのポストフィックスを付けて、設定する。チェックボックス７０５がチェックされていないときは、ステップ１２０４で、前記ステップ１２０１で取得した全ての入力ｃｈに関する入力ｃｈ設定情報（図６（ｂ））のChannel Name６１４に、当該入力ポートのシステムポートネームをそのまま設定する。ステップ１２０５で、入力ポート設定画面の再表示を行って、一覧表示７０４を書き換える。
【００８４】
なお、Copy User Port Nameボタン７１０が押下されたときの処理も図１２と同様である。ただし、「システムポートネーム」の代わりに「ユーザポートネーム」を用いる。また、連番機能は無いので、ステップ１２０２，１２０３は不要である。図７（ｂ）のCopy Sys Port Nameボタン７２９またはCopy User Port Nameボタン７３０が押下されたときの処理も図１２と同様である。ただし、処理対象は１つの入力ｃｈである。
【００８５】
図８（ａ）の出力ｃｈ設定画面においてボタン８０７，８０９が押下されたときの処理、および図８（ｂ）の出力ポート設定画面でボタン８２７，８２９が押下されたときの処理は、上記図１１および図１２の処理を適宜応用して構成することができる。
【符号の説明】
【００８６】
１０１〜１０３…Ｉ／Ｏユニット、１０４…デジタル・シグナル・プロセッサ（ＤＳＰ）ユニット、１０５…コンソール、１０６…オーディオネットワーク、２０１…入出力ポート、２０２…入力ポート、２０３…マイク、２０４…出力ポート、２０５…アンプ、２０６…スピーカ、２０８…拡張カード、２０９…アナログ入力カードが挿入されたスロット、２１０…入力ポート、２１２…アナログ出力カードが挿入されたスロット、２１３…出力ポート。
【図１】
0005861986.tif 000002
【図２】
0005861986.tif 000003
【図３】
0005861986.tif 000004
【図４】
0005861986.tif 000005
【図５】
0005861986.tif 000006
【図６】
0005861986.tif 000007
【図７】
0005861986.tif 000008
【図８】
0005861986.tif 000009
【図９】
0005861986.tif 000010
【図１０】
0005861986.tif 000011
【図１１】
0005861986.tif 000012
【図１２】
0005861986.tif 000013